(57)【特許請求の範囲】
【請求項１】
バーナ部と、前記バーナ部近傍に配設し燃焼炎中に臨ませたフレーム電極と、バーナ部に電流を流してその量を測定して燃焼状態を検知するフレームロッド方式の燃焼センサーと、前記バーナ部近傍に配設し点火電極と前記バーナ部との間で放電して前記バーナ部の燃焼を開始させる高圧放電方式の着火手段とを備え、前記燃焼センサーのフレーム電極と着火手段の前記点火電極を碍子で一体成形するとともに、前記フレーム電極と前記点火電極にコネクタを接続するときフレーム電極の線径を点火電極の線径より大きくすることで誤配線防止手段を構成した燃焼装置。
【発明の詳細な説明】
【０００１】
【産業上の利用分野】
本発明は液体燃料を気化させこの気化ガスをノズル部から噴出させて燃焼させる燃焼装置に関するものである。
【０００２】
【従来の技術】
従来この種の燃焼装置は図３に示すように、タンク２２にカートリッジタンク２３から燃料が供給され、同タンク２２の燃料はポンプ２４によって気化部２５に供給される。そしてこの気化部２５で気化されて燃料ガスとなり、ノズル部２６より水平方向に噴出される。このノズル部２６から噴出された燃料は、エジェクタ効果により一次空気を吸引しながら気化部２５の下流側に離れて設けた混合管２７内に噴出されここで混合して、混合管２７と一体のライン形状のバーナ部２８に供給され、そこで燃焼される。バーナ部２８近傍には燃焼炎中に入れたフレーム電極２９とバーナ部２８に電流を流してその量を測定して燃焼状態を検知するフレームロッド方式の燃焼センサー３０を配設してあり、離れて別体にバーナ部２８との間に高圧放電してその放電でバーナ部２８の燃焼を開始させる着火手段３１の点火電極３２を配設してある。そして生じた燃焼ガスは、バーナ部２８の周囲を覆うように配設された燃焼筒３３で上方へ導かれ、上記燃焼筒３３を覆ったダクト３４で送風機３５からの室内空気流と混合され、温風として排出されて暖房に利用される。そして、この燃焼装置はポンプ２４の駆動周波数や印加電圧を変えて燃料供給量を調節すると、一次空気量もそれにつれて増減し、燃料と空気の比が一定に保たれたまま燃焼量を変えることができるようになっている。
【０００３】
【発明が解決しようとする課題】
しかしながらこのような従来の構成の燃焼装置は、燃焼状態を検知する燃焼センサー３０のフレーム電極２９および着火手段３１の点火電極３２は、バーナ部２８との位置に対して、特に点火電極３２はその他の部分との位置に対して距離が重要であり、その燃焼検知及び着火性能に影響を及ぼす可能性があった。
【０００４】
つまり、バーナ部２８近傍には燃焼炎中に入れたフレーム電極２９とバーナ部２８に電流を流してその量を測定して燃焼状態を検知するフレームロッド方式の燃焼センサー３０は、バーナ部２８とフレーム電極２９の位置のばらつきで生じる燃焼炎の電流を通すイオン濃度のムラやバーナ部２８との距離によって抵抗がばらつき、流れる電流値が変化して、バーナ部２８の燃焼状態を検知が正確に出来にくい問題があった。
【０００５】
また、バーナ部２８近傍に配設しバーナ部２８との間に高圧放電してその放電でバーナ部２８の燃焼を開始させる着火手段３１の点火電極３２は、バーナ部２８と他の部分例えば燃焼筒３３などとの距離が近い場合、結露や湿度、ほこりなどの条件によるとバーナ部に放電が飛ばずに、他の部分例えば燃焼筒３３にに飛んだりして、着火特性が悪くなる問題があった。
【０００６】
そして、取り付けがバラバラであると、その取り付けに金具やビスが必要となり構成が複雑となり、コスト高くつき、また位置精度が出にくい問題があった。
【０００７】
本発明は上記課題を解決したもので、燃焼センサー３０のフレーム電極２９と、着火手段３１の点火電極３２を一体構成として構成部品点数を減少させ構成を簡単として、その取り付け精度を出やすくするとともに、コスト低減を図り、かつフレーム電極２９と点火電極３２の誤配線、誤取り付けの防止を図ることを目的としたものである。
【０００８】
【課題を解決するための手段】
本発明は上記課題を解決するため、バーナ部と、前記バーナ部近傍に配設し燃焼炎中に臨ませたフレーム電極と、バーナ部に電流を流してその量を測定して燃焼状態を検知するフレームロッド方式の燃焼センサーと、前記バーナ部近傍に配設し点火電極と前記バーナ部との間で放電して前記バーナ部の燃焼を開始させる高圧放電方式の着火手段とを備え、前記燃焼センサーのフレーム電極と着火手段の前記点火電極を碍子で一体成形するとともに、前記フレーム電極と前記点火電極にコネクタを接続するときフレーム電極の線径を点火電極の線径より大きくすることで誤配線防止手段を構成したものである。
【０００９】
【作用】
本発明は、上記の如く燃焼センサーのフレーム電極と着火手段の点火電極を離して碍子で一体成形してあるので、構成部品が少なくてすみ、取り付け金具も不要となり構成部品点数を減少させ構成を簡単とし、フレーム電極２９と点火電極３２の誤取り付けの防止が出来その取り付け精度を出しやすくするとともに、コスト低減を図れる。また、フレーム電極が点火電極より線径を大きくしてあるので、フレーム電極と点火電極の誤配線の防止を図ることが出来、かつ、経年的にも複雑な形状のフレーム電極の形状変化を少なくすることが出来、燃焼検知を安定して得られるようになる。
【００１０】
【実施例】
以下本発明の実施例について図面に基づいて説明する。
【００１１】
まず、図１を用いて本発明の燃焼装置を用いた温風暖房機器の構成を説明すると、１は本体ケースで、その下方側部に液体燃料を保有するタンク２とそのタンク２上部に着脱自在なカートリッジタンク３が配設してある。４はタンク２の上面に取付けたしたポンプで、その上端から送油パイプ５を介して気化部６に燃料を供給するようになっている。７は、気化部６で気化された燃料ガスを水平方向に噴出ノズル部で、このノズル部７から噴出された燃料は、エジェクタ効果により一次空気を吸引しながら気化部６の下流側に離れて設けた混合管８内に噴出されここで混合して、混合管８と一体のライン形状のバーナ部９に供給され、そこで燃焼される。
【００１２】
１０はバーナ部９近傍に配設し燃焼炎中に臨ませたフレーム電極１１とバーナ部９に電流を流してその量を測定して燃焼状態を検知するフレームロッド方式の燃焼センサーで、１２は同じくバーナ部９近傍隣接させて配設し点火電極１３とバーナ部９との間に放電してその放電でバーナ部９の燃焼を開始させる高圧放電方式の着火手段で、前記燃焼センサー１０のフレーム電極１１と着火手段１２の点火電極１３は図２のごとく離して碍子１４で一体成形するとともに、フレーム電極１１が点火電極１３より線径を大きくし、かつ、フレーム電極１１と点火電極１３の間の碍子１４にフレーム電極１１より点火電極１３の方の距離を離して取り付け用の孔１５を配設してあり、バーナ部９の取り付け板１６にビス止めしてある。
【００１３】
１７はバーナ部９からの燃焼ガスを上方へ導く燃焼筒で、その背部に室内空気流を取入れ送出する送風機１８が配設してある。１９は上記燃焼筒１７からの燃焼ガスと室内空気流を混合して温風にするダクトである。２０は前記ポンプ４や送風機８を制御してバーナ部９の燃焼させる制御部で、操作部２１から入力される運転条件信号に基づいてポンプ４や送風機８などを予め決められたシーケンスで制御するようになっている。
【００１４】
上記構成において、カートリッジタンク３から一定油面を保つようにタンク２に供給されている液体燃料は、ポンプ４によってタンク２から吸い上げられ、送油パイプ５を介して気化部６に送られる。送られた燃料はヒータで所定温度以上に保たれた気化部６内で気化し、高圧の燃料ガスとなってノズル部７から噴出され、その際エジェクタ効果により一次空気を吸引しながら気化部６の下流側に設けた混合管８内で混合されてバーナ部９内に供給され、バーナ部９の炎孔から噴出する。ここで点火電極１３とバーナ部９の間に高圧の電圧を断続的に印加すると、点火電極１３とバーナ部９の間に放電を生じてバーナ部９の炎孔に火炎を形成して燃焼を開始し、放電を停止してもこのままポンプ４で気化部６に燃料を供給し続けると燃焼を継続するようになる。そして生じた燃焼ガスは燃焼筒１７の上方へ流れてゆき、ダクト１９内で送風機１８からの室内空気流と混合され、温風として排出されて暖房に利用される。そして、制御部２０は操作部２１で設定された条件に基づいて、ポンプ４、送風機８などを予め決められたシーケンスで制御して、燃焼量の可変等の運転制御をするとともに、バーナ部９近傍に燃焼炎中に臨ませたフレーム電極１１とバーナ部９間に電流を流してその量を測定して燃焼状態を検知して得られた燃焼センサー１０の出力に応じて、運転の停止、警告等がなされる。
【００１５】
ここで、バーナ部９との間に高圧放電してその放電でバーナ部９の燃焼を開始させる着火手段１２の点火電極１３は、バーナ部９に放電が飛ばずに他の部分に飛び易いためその形状が単純で周囲と所定距離を離してあり、また燃焼炎中に入れバーナ部９との間に電流を流してその量を測定して燃焼状態を検知する燃焼センサー１０のフレーム電極１１は、燃焼炎中のイオン電流を取り易くするため形状が複雑にしてある。
【００１６】
しかしながら、燃焼センサー１０のフレーム電極１１と着火手段１２の点火電極１３を離して碍子１４で一体成形してあるので、構成部品が少なくてすみ、取り付け金具も不要となり構成部品点数を減少させ構成を簡単として、そのフレーム電極１１と点火電極１３の誤取り付け防止できるとともに、取り付け精度が出やすくなりその燃焼検知及び着火性能の向上が出来、かつその材料費や組立工数も少なくできコスト低減を図れる。
【００１７】
つまり、バーナ部９近傍には燃焼炎中に臨ませたフレーム電極１１とバーナ部９に電流を流してその量を測定して燃焼状態を検知するフレームロッド方式の燃焼センサー１２は、バーナ部９とフレーム電極１０の位置関係が安定するため燃焼炎のイオン濃度やバーナ部９との距離によって流れる電流値が変化することがなく、バーナ部の燃焼状態を検知が正確に出来るようになる。
【００１８】
そして、フレーム電極１１と点火電極１３の間の碍子１４にフレーム電極１１より点火電極１３の方の距離を離して取り付け用の孔１５を配設してあるので、点火電極１３と他の部分との空間距離を大きくすることが出来、他の部分に放電が飛び難く出来取り付け精度もよく出来着火性も向上する。
【００１９】
また、フレーム電極１１が点火電極１３より線径を大きくしてあるので、フレーム電極１１と点火電極１３の誤配線の防止を図ることが出来、フレーム電極１１からの高圧放電や、点火電極１３で燃焼検知という心配もなくなるとともに、経年的にも複雑な形状のフレーム電極の形状変化を少なくすることが出来、燃焼検知を安定して得られるようになる。
【００２０】
なお、上記実施例では燃焼センサー１０のフレーム電極１１と着火手段１２の点火電極１３を離して碍子１４で一体成形する構成と、フレーム電極１１が点火電極１３より線径を大きくする構成と、そしてフレーム電極１１と点火電極１３の間の碍子１４にフレーム電極１１より点火電極１３の方の距離を離して取り付け用の孔１５を配設する構成を同時に説明したが、これは個別に構成してもよく、その他各部の構成も本発明の目的を達成する範囲であれば、その構成はどのようなものであってもよい。
【００２１】
【発明の効果】
以上説明したように本発明の燃焼装置は、燃焼センサーのフレーム電極と着火手段の点火電極を離して碍子で一体成形するとともに、フレーム電極の線径を点火電極の線径より大きくすることによって、構成部品点数を減少させ構成を簡単として、その取り付け精度を出しやすくするとともに、コスト低減を図り、かつフレーム電極と点火電極の誤配線の防止を図りつつ、フレーム電極の形状変化を少なくして燃焼検知の安定化を図ることができる。
【図面の簡単な説明】
【図１】本発明の一実施例における温風暖房機の断面図
【図２】同燃焼装置の要部詳細図
【図３】従来の燃焼装置を用いた温風暖房機の断面図
【符号の説明】
９  バーナ部
１０  燃焼センサー
１１  フレーム電極
１２  着火手段
１３  点火電極
１４  碍子
１５  取り付け用孔
【図１】
0003579948.tif 000002
【図２】
0003579948.tif 000003
【図３】
0003579948.tif 000004